(57)【要約】【課題】盛土補強部材の連結を著しく容易にするとともに、縦方向部材上下部の設計の自由度を向上させることができる盛土補強部材を提供すること。【解決手段】盛土の法面に沿って配設される格子状の法面部材１と、この法面部材１の下部から後方に延設され、盛土中に略水平に埋設される格子状の水平埋設部材２とを備えた盛土補強部材同士を上下に連結する盛土補強部材の連結構造において、上下に位置する盛土補強部材の縦方向部材１１同士を重ねるとともに、重ねた縦方向部材１１に螺旋状に形成したコイル部材３を嵌合し、縦方向部材１１から突出するコイル部材３のリング部分３２に連結棒４を閂状に挿入する。【選択図】図２
2007162268.tif 000002
【特許請求の範囲】
【請求項１】
盛土の法面に沿って配設される格子状の法面部材と、該法面部材の下部から後方に延設され、盛土中に略水平に埋設される格子状の水平埋設部材とを備えた盛土補強部材同士を上下に連結する盛土補強部材の連結構造において、上下に位置する盛土補強部材の縦方向部材同士を重ねるとともに、該重ねた縦方向部材に螺旋状に形成したコイル部材を嵌合し、縦方向部材から突出するコイル部材のリング部分に連結棒を閂状に挿入したことを特徴とする盛土補強部材の連結構造。
【請求項２】
コイル部材を、該コイル部材のピッチの整数倍と縦方向部材の間隔とが略一致するように形成したことを特徴とする請求項１記載の盛土補強部材の連結構造。
【発明の詳細な説明】
【技術分野】
【０００１】
本発明は、盛土補強部材の連結構造に関し、特に、盛土補強部材の連結を著しく容易にするとともに、縦方向部材上下部の設計の自由度を向上させることができる盛土補強部材の連結構造に関するものである。
【背景技術】
【０００２】
従来、急勾配の法面等を盛土によって造成する場合、盛土を補強し、盛土の崩壊を防止するため、各種の盛土補強部材が用いられている。
その一例として、盛土の法面に沿って配設される格子状の法面部材と、該法面部材の下部から後方に延設され、盛土中に略水平に埋設される格子状の水平埋設部材とを備えた盛土補強部材がある。
この盛土補強部材の法面部材を盛土の法面に沿って配設するとともに、水平埋設部材を盛土中に埋設することによって、盛土を補強し、また、必要に応じて、植生を行うことにより、法面等の美観を保つとともに、盛土の崩壊を防止するようにしている。
【０００３】
ところで、盛土補強部材は、例えば、下記の特許文献１に示すように、盛土の高さに応じて、複数の法面部材を上下に連結して使用するようにしている。
この盛土補強部材の連結構造は、横倒Ｖ字状に折曲した縦方向部材の上部と、Ｌ字状に折曲された縦方向部材の下部とを重ね合わせ、前記Ｖ字とＬ字を合わせることにより環状部を形成し、この環状部に連結棒を挿入することにより、上下の盛土補強部材を連結している。
【０００４】
しかしながら、上記従来の盛土補強部材の連結構造では、連結棒を挿入する環状部を形成するために、縦方向部材の上部を横倒Ｖ字状に折曲する必要があり、また、縦方向部材下部の曲げ形状が鋭角に限定されるという問題があった。
【特許文献１】特開２０００−２８２４７１号公報
【発明の開示】
【発明が解決しようとする課題】
【０００５】
本発明は、上記従来の盛土補強部材の連結構造が有する問題点に鑑み、盛土補強部材の連結を著しく容易にするとともに、縦方向部材上下部の設計の自由度を向上させることができる盛土補強部材を提供することを目的とする。
【課題を解決するための手段】
【０００６】
上記目的を達成するため、本発明の盛土補強部材の連結構造は、盛土の法面に沿って配設される格子状の法面部材と、該法面部材の下部から後方に延設され、盛土中に略水平に埋設される格子状の水平埋設部材とを備えた盛土補強部材同士を上下に連結する盛土補強部材の連結構造において、上下に位置する盛土補強部材の縦方向部材同士を重ねるとともに、該重ねた縦方向部材に螺旋状に形成したコイル部材を嵌合し、縦方向部材から突出するコイル部材のリング部分に連結棒を閂状に挿入したことを特徴とする。
【０００７】
この場合において、コイル部材を、該コイル部材のピッチの整数倍と縦方向部材の間隔とが略一致するように形成することができる。
【発明の効果】
【０００８】
本発明の盛土補強部材の連結構造によれば、盛土の法面に沿って配設される格子状の法面部材と、該法面部材の下部から後方に延設され、盛土中に略水平に埋設される格子状の水平埋設部材とを備えた盛土補強部材同士を上下に連結する盛土補強部材の連結構造において、上下に位置する盛土補強部材の縦方向部材同士を重ねるとともに、該重ねた縦方向部材に螺旋状に形成したコイル部材を嵌合し、縦方向部材から突出するコイル部材のリング部分に連結棒を閂状に挿入することから、縦方向部材をコイル部材の溝に嵌合してコイル部材に連結棒を挿入するだけで上下の盛土補強部材を連結することができ、これにより、盛土補強部材の連結を著しく容易にするとともに、縦方向部材上下部の設計の自由度を向上させることができる。
また、この盛土補強部材の連結構造は、法面部材が平面視で湾曲するような盛土角部でも、コイル部材と連結棒を同様に屈曲するようにしたり、コイル部材及び連結棒を撓み性に優れた鋼材で形成することにより、上下の盛土補強部材を連結することができる。
【０００９】
また、コイル部材を、該コイル部材のピッチの整数倍と縦方向部材の間隔とが略一致するように形成することにより、縦方向部材とコイル部材とが干渉し合うことなく、縦方向部材にコイル部材を確実に嵌合することができる。
【発明を実施するための最良の形態】
【００１０】
以下、本発明の盛土補強部材の連結構造の実施の形態を、図面に基づいて説明する。
【実施例１】
【００１１】
図１〜図６に、本発明の盛土補強部材の連結構造の一実施例を示す。
【００１２】
この盛土補強部材の連結構造は、盛土の法面に沿って配設される格子状の法面部材１と、該法面部材１の下部から後方に延設され、盛土中に略水平に埋設される格子状の水平埋設部材２とを備えた盛土補強部材同士を上下に連結する。
そして、この盛土補強部材の連結構造は、上下に位置する盛土補強部材の縦方向部材１１同士を重ねるとともに、該重ねた縦方向部材１１に螺旋状に形成したコイル部材３の溝３１の部分を前方側から嵌合し、縦方向部材１１から後方側に突出するコイル部材３のリング部分３２に連結棒４を閂状に挿入している。
【００１３】
法面部材１は、複数本の縦方向部材１１を横方向に平行に配列し、これら縦方向部材１１を、所定の間隔をあけて配設した横方向部材１２により連結することにより、全体として格子形状に形成している。
法面部材１は、盛土の法面に沿って上下に連結して使用するもので、下側の法面部材１の上部と、上側の法面部材１の下部とを連結するようにしている。
【００１４】
水平埋設部材２は、複数本の縦方向部材２１を横方向に平行に配列し、これら縦方向部材２１を、所定の間隔をあけて配設した横方向部材２２により連結することにより、全体として格子形状に形成している。
なお、本実施例では、水平埋設部材２の縦方向部材２１は、法面部材１の縦方向部材１１の下部を折曲して延設することにより一体に形成されている。
また、本実施例では、水平埋設部材２の後端を山形形状に形成することにより、必要に応じて盛土中に略水平に埋設するネット部材等の補強部材（図示省略）の端部を容易に接続することができるようにしたが、水平埋設部材２の後端の形状は、これに限定されず、例えば、図７に示す変形実施例のように、上方へ屈曲する形状に形成することもできる（特許文献１参照）。
【００１５】
コイル部材３は、そのピッチを、該ピッチの整数倍、具体的には、１〜数倍程度（本実施例では、２倍）と縦方向部材１１の間隔とが略一致するように形成するようにすることにより、縦方向部材１１とコイル部材３とが干渉し合うことなく、縦方向部材１１にコイル部材３を確実に嵌合することができるようにする。
また、コイル部材３は、縦方向部材１１と同程度の太さの金属線により、法面部材１の幅方向と同程度の長さに形成されている。
コイル部材３は、法面部材１の幅方向に亘って略水平に配設され、そのコイルの溝３１の部分を、上下の盛土補強部材の前後に重ねた縦方向部材１１に嵌合し、これら縦方向部材１１の後方側に突出するリング部分３２に連結棒４を閂状に挿入することができるようにしている。
また、連結棒４は、本実施例では、縦方向部材１１と同程度の太さの直線状の金属棒からなり、法面部材１の幅方向と同程度の長さに形成されている。
【００１６】
そして、本実施例の盛土補強部材の連結構造は、図２に示すように、下側の法面部材１の縦方向部材１１において最上部の２本の横方向部材１２ａ、１２ｂに挟まれる部分と、上側の法面部材１の縦方向部材１１において最下部の横方向部材１２ｃより下の部分とを重ね合わせ、この重ね合わせた縦方向部材１１に、その前方側からコイル部材３の溝３１の部分を嵌合し、後方側に突出するコイル部材３のリング部分３２に連結棒４を閂状に挿入するようにしている。
【００１７】
これにより、前後の離隔方向には、下側の法面部材１の縦方向部材１１がコイル部材３に、上側の法面部材１の縦方向部材１１が連結棒４にそれぞれ当接して移動を阻止される。この場合、ある程度の摺動が許容されることから、造成後、時間の経過とともに圧密され沈下する盛土の動きに対応することができる。
【００１８】
また、上下の離隔方向には、下側の法面部材１の横方向部材１２ａがコイル部材３に、上側の法面部材１の縦方向部材１１の折曲部が連結棒４にそれぞれ当接して移動を阻止される。この場合、ある程度の摺動が許容されることから、大雨等により変化する盛土の動きに対応することができる。
【００１９】
また、上下の近接方向には、下側の法面部材１の横方向部材１２ｂがコイル部材３に、上側の法面部材１の横方向部材１２ｃがコイル部材３にそれぞれ当接して移動を阻止される。この場合、ある程度の摺動が許容されることから、造成後、時間の経過とともに圧密され沈下する盛土の動きに対応することができる。
【００２０】
かくして、本実施例の盛土補強部材の連結構造は、盛土の法面に沿って配設される格子状の法面部材１と、該法面部材１の下部から後方に延設され、盛土中に略水平に埋設される格子状の水平埋設部材２とを備えた盛土補強部材同士を上下に連結する盛土補強部材の連結構造において、上下に位置する盛土補強部材の縦方向部材１１同士を重ねるとともに、該重ねた縦方向部材１１に螺旋状に形成したコイル部材３を嵌合し、縦方向部材１１から突出するコイル部材３のリング部分３２に連結棒４を閂状に挿入することから、縦方向部材１１をコイル部材３の溝３１に嵌合してコイル部材３に連結棒４を挿入するだけで上下の盛土補強部材を連結することができ、これにより、盛土補強部材の連結を著しく容易にするとともに、縦方向部材１１上下部の設計の自由度を向上させることができる。
また、この盛土補強部材の連結構造は、法面部材１が平面視して湾曲するような盛土角部でも、コイル部材３及び連結棒４を同様に屈曲するようにしたり、コイル部材３及び連結棒４を撓み性に優れた鋼材で形成することにより、上下の盛土補強部材を連結することができる。
【００２１】
なお、本実施例においては、重ねた縦方向部材１１に、コイル部材３の溝３１の部分を前方側から嵌合し、縦方向部材１１から後方側に突出するコイル部材３のリング部分３２に連結棒４を閂状に挿入したが、これとは逆に、重ねた縦方向部材１１に、コイル部材３の溝３１の部分を後方側から嵌合し、縦方向部材１１から前方側に突出するコイル部材３のリング部分３２に連結棒４を閂状に挿入することもでき、上記実施例の同様の作用を奏する。
【００２２】
以上、本発明の盛土補強部材の連結構造について、その実施例に基づいて説明したが、本発明は上記実施例に記載した構成に限定されるものではなく、その趣旨を逸脱しない範囲において適宜その構成を変更することができる。
【産業上の利用可能性】
【００２３】
本発明の盛土補強部材の連結構造は、盛土補強部材の連結を著しく容易にするとともに、縦方向部材上下部の設計の自由度を向上させるという特性を有していることから、盛土の補強の用途に広く好適に用いることができる。
【図面の簡単な説明】
【００２４】
【図１】本発明の盛土補強部材の連結構造の一実施例を示す側面図である。
【図２】図１の要部拡大図である。
【図３】同盛土補強部材の連結構造を示す要部拡大正面図である。
【図４】同要部拡大斜視図である。
【図５】同要部拡大背面図である。
【図６】同要部拡大背面斜視図である。
【図７】本発明の盛土補強部材の連結構造の変形実施例を示す側面図である。
【符号の説明】
【００２５】
１    法面部材
１１  縦方向部材
１２  横方向部材
２    水平埋設部材
２１  縦方向部材
２２  横方向部材
３    コイル部材
３１  溝
３２  リング部分
４    連結棒
【図１】
2007162268.tif 000003
【図２】
2007162268.tif 000004
【図３】
2007162268.tif 000005
【図４】
2007162268.tif 000006
【図５】
2007162268.tif 000007
【図６】
2007162268.tif 000008
【図７】
2007162268.tif 000009